(57)【特許請求の範囲】
【請求項１】
第一の移動無線ネットワークにおける第一のユーザ装置を収容する第一の無線ネットワークノードにおいて、第二の移動無線ネットワークにおける第二の無線ネットワークノードに収容される第二のユーザ装置との無線リンクを介したＤ２Ｄ（デバイス−デバイス間）通信を可能ならしめる方法であって、前記方法は、
前記第二の無線ネットワークノードとコネクションを確立することと、
前記第一のユーザ装置から前記第二のユーザ装置との前記Ｄ２Ｄ通信を可能にするためのリクエストを受信することと、
前記受信したリクエストに応答して、前記第二のユーザ装置の設定のために前記第二の無線ネットワークノードによって使用されることになる第一のメッセージであって、前記第一のユーザ装置に関連した情報を含む当該第一のメッセージを、前記確立されたコネクションを介して前記第二の無線ネットワークノードへ送信することと、
前記第一のメッセージに応答して、前記第一のユーザ装置の設定のために前記第一の無線ネットワークノードによって使用されることになる第二のメッセージであって、前記第二のユーザ装置に関連した情報を含む当該第二のメッセージを、前記確立されたコネクションを介して前記第二の無線ネットワークノードから受信することと、
前記第二のユーザ装置に関連した前記受信された情報と前記第二のユーザ装置との前記Ｄ２Ｄ通信を可能にするビーコンを送信させるためのコマンドとを含む第三のメッセージを前記第一のユーザ装置へ送信することとを有し、
前記第一のメッセージは前記第一のユーザ装置から前記第二のユーザ装置への送信について使用される一つ以上のＰＲＢについての情報を含み、前記第二のメッセージは前記第二のユーザ装置から前記第一のユーザ装置への送信について使用される一つ以上のＰＲＢについての情報を含む、方法。
【請求項２】
前記コネクションを確立することは、前記第一の無線ネットワークノードに関連した情報を含む第一のコンフィギュレーションメッセージを前記第二の無線ネットワークノードに送信することと、前記第二の無線ネットワークノードに関連した情報を含む第二のコンフィギュレーションメッセージを前記第二の無線ネットワークノードから受信することとを含む、請求項１に記載の方法。
【請求項３】
前記コネクションはロジカルインタフェースを利用する、請求項１または２に記載の方法。
【請求項４】
前記コネクションを確立することは、前記第一のユーザ装置から前記リクエストを受信したことに応答して実行される、請求項１ないし３のいずれか１項に記載の方法。
【請求項５】
前記Ｄ２Ｄの無線リンクはハイブリッドＴＤＤ／ＦＤＤデュープレックスを使用する、請求項１ないし４のいずれか１項に記載の方法。
【請求項６】
第一の移動無線ネットワークにおける第一の無線ネットワークノードに収容される第一のユーザ装置において、第二の移動無線ネットワークにおける第二の無線ネットワークノードに収容される第二のユーザ装置との無線リンクを介したＤ２Ｄ（デバイス−デバイス間）通信を可能ならしめる方法であって、前記方法は、
前記第二のユーザ装置との前記Ｄ２Ｄ通信を可能にするためのリクエストを前記第一の無線ネットワークノードに送信することと、
前記送信したリクエストに応答して、前記第二のユーザ装置に関連した情報と前記第二のユーザ装置へビーコンを送信するためのコマンドとを含む第一のメッセージを前記第一の無線ネットワークノードから受信することと、
前記第一の無線ネットワークノードに関連した情報を含むビーコンを送信することと、
前記送信したビーコンに応答して、前記第二のユーザ装置がＤ２Ｄの無線リンクに参加する能力を有していることを示す第二のメッセージを前記第二のユーザ装置から受信することと、
前記第二のメッセージを受信すると前記Ｄ２Ｄ通信を開始するために前記第二のユーザ装置と同期することとを有し、
前記同期することは、第二の周波数バンドまたはチャネルで動作している前記第二のユーザ装置からタイミング補正を受信することと、第一の周波数バンドまたはチャネルで動作している前記第二のユーザ装置にタイミング補正を送信することとを含み、前記第一の周波数バンドまたはチャネルは前記第一のユーザ装置から前記第二のユーザ装置への送信について使用される周波数バンドまたはチャネルであり、前記第二の周波数バンドまたはチャネルは前記第二のユーザ装置から前記第一のユーザ装置への送信について使用される周波数バンドまたはチャネルであり、前記第二のユーザ装置から受信されるタイミング補正は前記第一の周波数バンドまたはチャネルの送信のタイミングを補正するために使用され、前記第一のユーザ装置から送信されるタイミング補正は前記第二の周波数バンドまたはチャネルの送信のタイミングを補正するために使用される、方法。
【請求項７】
前記Ｄ２Ｄの無線リンクはハイブリッドＴＤＤ／ＦＤＤデュープレックスを使用する、請求項６に記載の方法。
【請求項８】
前記ビーコンは前記第一のユーザ装置の識別情報を含む、請求項６または７に記載の方法。
【請求項９】
前記ビーコンはさらに、前記第一の無線ネットワークノードの動作周波数についての情報を含む、請求項６ないし８のいずれか１項に記載の方法。
【請求項１０】
第二の移動無線ネットワークにおける第二の無線ネットワークノードに収容される第二のユーザ装置との無線リンクを介したＤ２Ｄ（デバイス−デバイス間）通信を可能ならしめる、第一の移動無線ネットワークにおける第一の無線ネットワークノードに収容される第一のユーザ装置であって、
前記第二のユーザ装置との前記Ｄ２Ｄ通信を可能にするためのリクエストを前記第一の無線ネットワークノードに送信する送信機と、
前記送信したリクエストに応答して、前記第二のユーザ装置に関連した情報と前記第二のユーザ装置へビーコンを送信するためのコマンドとを含む第一のメッセージを前記第一の無線ネットワークノードから受信する受信機と、
ここで、前記送信機は、前記第一の無線ネットワークノードに関連した情報を含むビーコンを送信するものであり、
前記受信機はさらに、前記送信したビーコンに応答して、前記第二のユーザ装置がＤ２Ｄの無線リンクに参加する能力を有していることを示す第二のメッセージを前記第二のユーザ装置から受信するものであり、
前記第二のメッセージを受信すると前記Ｄ２Ｄ通信を開始するために前記第二のユーザ装置と同期する同期部と、を有し、
前記同期することは、第二の周波数バンドまたはチャネルで動作している前記第二のユーザ装置からタイミング補正を受信することと、第一の周波数バンドまたはチャネルで動作している前記第二のユーザ装置にタイミング補正を送信することとを含み、前記第一の周波数バンドまたはチャネルは前記第一のユーザ装置から前記第二のユーザ装置への送信について使用される周波数バンドまたはチャネルであり、前記第二の周波数バンドまたはチャネルは前記第二のユーザ装置から前記第一のユーザ装置への送信について使用される周波数バンドまたはチャネルであり、前記第二のユーザ装置から受信されるタイミング補正は前記第一の周波数バンドまたはチャネルの送信のタイミングを補正するために使用され、前記第一のユーザ装置から送信されるタイミング補正は前記第二の周波数バンドまたはチャネルの送信のタイミングを補正するために使用される、第一のユーザ装置。
【請求項１１】
前記Ｄ２Ｄの無線リンクはハイブリッドＴＤＤ／ＦＤＤデュープレックスを使用する、請求項１０に記載の第一のユーザ装置。
【請求項１２】
前記Ｄ２Ｄの無線リンクを設定することは、タイミングと周波数を設定することを含む、請求項１０または１１に記載の第一のユーザ装置。
【請求項１３】
前記ビーコンは前記第一のユーザ装置の識別情報を含む、請求項１０ないし１２のいずれか一項に記載の第一のユーザ装置。
【請求項１４】
前記ビーコンはさらに、前記第一の無線ネットワークノードの動作周波数についての情報を含む、請求項１０ないし１３のいずれか一項に記載の第一のユーザ装置。
【請求項１５】
第二の移動無線ネットワークにおける第二の無線ネットワークノードに収容される第二のユーザ装置と第一のユーザ装置との間で無線リンクを介したＤ２Ｄ（デバイス−デバイス間）通信を可能ならしめる、第一の移動無線ネットワークにおける当該第一のユーザ装置を収容する第一の無線ネットワークノードであって、前記第一の無線ネットワークノードは、
前記第二の無線ネットワークノードとコネクションを確立する処理ユニットと、
前記第一のユーザ装置から前記第二のユーザ装置との前記Ｄ２Ｄ通信を可能にするためのリクエストを受信する受信機と、
前記受信したリクエストに応答して、前記第二のユーザ装置の設定のために前記第二の無線ネットワークノードによって使用されることになる第一のメッセージであって、前記第一のユーザ装置に関連した情報を含む当該第一のメッセージを、前記確立されたコネクションを介して前記第二の無線ネットワークノードへ送信する送信機と
を有し、
前記受信機は、さらに、前記第一のメッセージに応答して、前記第一のユーザ装置の設定のために前記第一の無線ネットワークノードによって使用されることになる第二のメッセージであって、前記第二のユーザ装置に関連した情報を含む当該第二のメッセージを、前記確立されたコネクションを介して前記第二の無線ネットワークノードから受信し、
前記送信機は、前記第二のユーザ装置に関連した前記受信された情報と前記第二のユーザ装置との前記Ｄ２Ｄ通信を可能にするビーコンを送信させるためのコマンドとを含む第三のメッセージを前記第一のユーザ装置へ送信し、
前記第一のメッセージは前記第一のユーザ装置から前記第二のユーザ装置への送信について使用される一つ以上のＰＲＢについての情報を含み、前記第二のメッセージは前記第二のユーザ装置から前記第一のユーザ装置への送信について使用される一つ以上のＰＲＢについての情報を含む、第一の無線ネットワークノード。
【請求項１６】
前記コネクションを確立することは、前記第一の無線ネットワークノードに関連した情報を含む第一のコンフィギュレーションメッセージを前記第二の無線ネットワークノードに送信することと、前記第二の無線ネットワークノードに関連した情報を含む第二のコンフィギュレーションメッセージを前記第二の無線ネットワークノードから受信することとを含む、請求項１５に記載の第一の無線ネットワークノード。
【請求項１７】
前記コネクションはロジカルインタフェースを利用する、請求項１５または１６に記載の第一の無線ネットワークノード。
【請求項１８】
前記コネクションを確立することは、前記第一のユーザ装置から前記リクエストを受信したことに応答して実行される、請求項１５ないし１７のいずれか一項に記載の第一の無線ネットワークノード。
【請求項１９】
前記Ｄ２Ｄの無線リンクはハイブリッドＴＤＤ／ＦＤＤデュープレックスを使用する、請求項１５ないし１８のいずれか一項に記載の第一の無線ネットワークノード。
【請求項２０】
一つ以上の処理ユニットにおいて実行されると請求項１５に記載された第一の無線ネットワークノードに請求項１に記載されたプロシージャを実行させるコンピュータ可読コード手段を含むコンピュータプログラム。
【請求項２１】
一つ以上の処理ユニットにおいて実行されると請求項１０に記載された第一のユーザ装置に請求項６に記載されたプロシージャを実行させるコンピュータ可読コード手段を含むコンピュータプログラム。
【発明の詳細な説明】
【技術分野】
【０００１】
本発明は一般に第一のユーザ装置、第一の無線ネットワークノードおよびこれらにおいて実行される方法に関する。とりわけ、本発明は、移動無線ネットワークにおいてデバイス−デバイス（Ｄｅｖｉｃｅ−ｔｏ−Ｄｅｖｉｃｅ／Ｄ２Ｄ）無線リンクを介して第一のユーザ装置と第二のユーザ装置との間で通信を可能にする装置および方法に関連する。
【背景技術】
【０００２】
移動無線ネットワークがカバーする地理的なエリアは複数のセルエリアに分割されており、各セルエリアは一般に無線ネットワークノードによってサービスを提供される。無線ネットワークノードは無線基地局（ＲＢＳ）でありうるが、採用される技術に依存して、たとえば、ｅＮＢ、ｅＮｏｄｅＢまたはＢＴＳ（ベーストランシーバステーション）と呼ばれることもある。無線ネットワークノードまたはＲＢＳは一つ以上のセルに対して無線カバレッジを提供する。さらに、各無線ネットワークノードは、たとえば、時分割複信（ＴＤＤ）や周波数分割複信（ＦＤＤ）など、異なる通信技術をサポートしていてもよい。無線ネットワークノードは無線ネットワークセル内に位置しているユーザ装置と通信するが、これは移動局、移動端末、移動電話機、セルラー電話機またはスマートフォンと呼ばれることもある。ＵＥの他の例は、ラップトップデバイス、ノートブックデバイス、ハンドヘルドデバイス、ハンドヘルドデバイスなどである。これはすべて無線通信能力を有している。さらに、無線移移動通信は、二つ以上のＵＥ、二つ以上の無線ネットワークノードおよび二つ以上の無線ネットワークコアノードの間で実行されてもよい。以上の説明のものは無線移動ネットワークの一部を構成している。
【０００３】
二つのユーザ装置間で通信が実行されるとき、各ユーザ装置は無線ネットワーク内で一つのオペレータに割り当てられた周波数バンドやチャネル内で通信する。周波数バンドはスペクトラムチャンクの全体であり、チャネルはリソースマネージメントの目的で使用され、周波数バンドのスペクトラムリソースのサブセットであってもよい。
【０００４】
さらに、ロングタームエボリューション（ＬＴＥ）における周波数バンドはデュープレックス（複信）構成における柔軟性の必要性に応じて周波数バンドはペアのスペクトラムとされたり、非ペアのスペクトラムとされたりする。
【０００５】
第三世代パートナーシッププロジェクト（３ＧＰＰ）はＬＴＥとシステムアーキテクチャエボリューション（ＳＡＥ）を提供するとともに、進化したパケットシステム（ＥＰＳ）を定義している。ＥＰＳは進化型無線アクセスネットワーク（ＥＵＴＲＡＮ）と進化型パケットコア（ＥＰＣ）とから構成されている。
【０００６】
本明細書において、無線ネットワークノードは進化型パケットコア（ＥＰＣ）におけるノードに関連していてもよい。これらノードは移動線管理エンティティ（ＭＭＥ）、サービングゲートウェイ（ＳＧＷ）、パケットデータネットワーク（ＰＤＮ）ゲートウェイ（ＰＧＷ）、または、ホーム加入者サーバ（ＨＳＳ）であってもよく、３ＧＰＰ ＬＴＥでは無線ネットワークノードは一つ以上のネットワークコアノードに直接的に接続していてもよい。
【０００７】
本明細書で使用されうる他の無線移動ネットワークは、たとえば、移動通信のためのグローバルシステム（ＧＳＭ（登録商標））、ＧＳＭ−進化型ユニバーサル地上移動通信システム（ＵＭＴＳ）、移動通信のためのワイドバンド符号分割多元接続（ＷＣＤＭＡ（登録商標））を基盤としたＵＭＴＳ、ＨＳＰＡ、ＷｉＭａｘなどである。
【０００８】
セル接続性
３ＧＰＰ ＬＴＥネットワークにおいて、ＵＥは、適切なセルをサーチして選択し、基本的なシステム情報を取得し、ランダムアクセスを実行することで、このネットワークに対して情報を送信したり、ネットワークから情報を受信したりできるようになる。こうすることで、ＵＥは、同期を獲得し、システムパラメータを取得し、システムリソースにアクセスできるようになる。
【０００９】
デバイス−デバイス間通信
Ｄ２Ｄ通信によって、Ｄ２Ｄ通信能力を有したユーザ装置間で近接性を生かすことが可能となる。これは低消費電力化、エンドツーエンド遅延の削減、高速データレートに寄与し、これにより、Ｄ２Ｄ技術は、デバイス間でのビデオストリーミングやゲーミングアプリケーション、高速データ転送のような帯域幅デマンドサービスのために適切なものとなろう。さらに、Ｄ２Ｄは暗示的には近接ベースでのソーシャルネットワーキングサービスや情報ブロードキャスティングアプリケーションに向いているように設計されている。
【００１０】
Ｄ２Ｄ通信が発生する場面は多様であり、そのいくつかが図１に示されている。
【００１１】
これらの中にはライセンスが必要なスペクトラムで通信するものとライセンス不要なスペクトラムで通信するものとがある。さまざまなアドホックネットワーク技術やパーソナルエリアネットワーク技術は、ブルートゥースやＷｉＦｉダイレクトを含むショートレンジ（近距離）通信で利用可能なインダストリアル、サイエンティフィックおよびメディカルバンド（産業科学医療用バンド）など、ライセンス不要バンドを利用する。
【００１２】
一方で、ライセンスが必要なスペクトラムを用いるＤ２Ｄ通信はごく最近に提案され、研究がなされている。このコンセプトによれば、相互に近接しているＵＥは、無線基地局（ｅＮＢ）や無線ネットワークノードを介して信号を送信したり、受信したりすることなく、ダイレクトリンクを介して情報を交換することができる。この技術の課題は、ＵＥは無線セル（ここでは無線ネットワークとよばれる）内に位置している必要があり、他の通信事業の配下にあるライセンスが必要な周波数バンド／ライセンスが不要な周波数バンドへと境界を超えることができないことである。
【００１３】
３ＧＰＰ ＬＴＥのようなネットワークインフラにアシストされて直接的なＤ２Ｄ通信を確立することで、セルラースペクトラムリソースが改善をされ、ユーザ装置のエネルギー消費が削減される。アシスタンスは、隣接セルの探索、リソース割り当て、電力制御およびモード選択ポリシーが関与するかもしれない。Ｄ２Ｄ通信の潜在的な利得は、ペア化された周波数バンドだけでなくペア化されていない周波数バンドで運用されるセルラーネットワークにおいて魅力的なものである。３ＧＰＰ ＬＴＥシステムでは、たとえば、ＦＤＤモードとＴＤＤモードでは、ＵＥとｅＮＢとの両方についてそれぞれ同じ規格のセットが策定されている。すなわち、ＬＴＥベースのＤ２Ｄ通信は一般にどちらか一つのデュープレックスモードにより運用されているセルラーネットワークにおいてサポートされる。しかし、たとえば、Ｘ２インタフェースなど、いくつかの既存のロジカル（論理）インタフェースは、異なる通信事業者に属している無線ネットワークノード間での通信や、異なるデュープレックスモードを用いる無線ネットワーク間での通信を許容していない。一つの解決方法は、通信事業者または無線ネットワークにおけるＵＥについて、他の通信事業者または隣接した無線ネットワークへローミングさせ、当該ネットワーク内のＵＥとＤ２Ｄ通信を可能にすることである。しかし、国内ローミングは規制の理由のため一般には許可されていない。さらに、Ｄ２Ｄ能力を有し、ローミングを実行するほうのＵＥは他の無線ネットワークの無線ネットワークノードから潜在的に遠く離れており、接続が制限される恐れがある。
【発明の概要】
【課題を解決するための手段】
【００１４】
本技術の目的は上述した問題や課題の少なくともいくつかを解決することにある。これらの目的その他は添付の特許請求の範囲に記載された方法と装置を使用することで達成される。
【００１５】
ここでの実施形態の一観点によれば、第一の移動無線ネットワークにおける第一のユーザ装置を収容する第一の無線ネットワークノードにおいて、第二の移動無線ネットワークにおける第二の無線ネットワークノードに収容される第二のユーザ装置と無線リンクを介してＤ２Ｄ（デバイス−デバイス間）通信を可能ならしめる方法であって、前記第二の無線ネットワークノードとコネクションを確立することと、前記第一のユーザ装置から前記第二のユーザ装置との通信を可能にするためのリクエストを受信することと、前記リクエストを受信したことに応答して前記第二のユーザ装置の設定のために前記第二の無線ネットワークノードによって使用されることになる第一のメッセージであって、前記第一のユーザ装置に関連した情報を含む当該第一のメッセージを、前記確立されたコネクションを介して前記第二の無線ネットワークノードへ送信することと、前記第一のメッセージを受信したことに応答して前記第一のユーザ装置の設定のために前記第一の無線ネットワークノードによって使用されることになる第二のメッセージであって、前記第二のユーザ装置に関連した情報を含む当該第二のメッセージを、前記確立されたコネクションを介して前記第二の無線ネットワークノードから受信することと、前記第二のユーザ装置に関連した受信情報と前記第二のユーザ装置との通信を可能にするビーコンを送信させるためのコマンドとを含む第三のメッセージを前記第一のユーザ装置へ送信することとを有する。
【００１６】
本開示の他の観点によれば、第一の移動無線ネットワークにおける第一の無線ネットワークノードに収容される第一のユーザ装置において、第二の移動無線ネットワークにおける第二の無線ネットワークノードに収容される第二のユーザ装置と無線リンクを介してＤ２Ｄ（デバイス−デバイス間）通信を可能ならしめる方法であって、前記第二のユーザ装置との通信を可能にするためのリクエストを前記第一の無線ネットワークノードに送信することと、前記リクエストを送信したことに応答して、前記第二のユーザ装置に関連した情報と前記第二のユーザ装置へビーコンを送信するためのコマンドとを含む第一のメッセージを前記第一の無線ネットワークノードから受信することと、前記第一の無線ネットワークノードに関連した情報を含むビーコンを送信することと、前記ビーコンを送信したことに応答して、Ｄ２Ｄ無線リンクに参加する能力を前記第二のユーザ装置が有していることを示す第二のメッセージを前記第二のユーザ装置から受信することと、前記第二のメッセージを受信すると前記Ｄ２Ｄ通信を開始するために前記第二のユーザ装置と同期することとを有する。
【００１７】
本開示の他の観点によれば、第二の移動無線ネットワークにおける第二の無線ネットワークノードに収容される第二のユーザ装置と無線リンクを介してＤ２Ｄ（デバイス−デバイス間）通信を可能ならしめる、第一の移動無線ネットワークにおける第一の無線ネットワークノードに収容される第一のユーザ装置であって、前記第二のユーザ装置との通信を可能にするためのリクエストを前記第一の無線ネットワークノードに送信する送信機と、前記リクエストを送信したことに応答して、前記第二のユーザ装置に関連した情報と前記第二のユーザ装置へビーコンを送信するためのコマンドとを含む第一のメッセージを前記第一の無線ネットワークノードから受信する受信機とを有し、前記送信機は、前記第一の無線ネットワークノードに関連した情報を含むビーコンを送信するようにさらに構成されており、前記受信機は、前記ビーコンを送信したことに応答して、Ｄ２Ｄ無線リンクに参加する能力を前記第二のユーザ装置が有していることを示す第二のメッセージを前記第二のユーザ装置から受信するようにさらに構成されており、前記第一のユーザ装置は、前記第二のメッセージを受信すると前記Ｄ２Ｄ通信を開始するために前記第二のユーザ装置と同期する同期部をさらに有する。
【００１８】
本開示のさらに他の観点によれば、第二の移動無線ネットワークにおける第二の無線ネットワークノードに収容される第二のユーザ装置と無線リンクを介してＤ２Ｄ（デバイス−デバイス間）通信を可能ならしめる、第一の移動無線ネットワークにおける第一のユーザ装置を収容する第一の無線ネットワークノードであって、前記第二の無線ネットワークノードとコネクションを確立する処理ユニットと、前記第一のユーザ装置から前記第二のユーザ装置との通信を可能にするためのリクエストを受信する受信機と、前記リクエストを受信したことに応答して前記第二のユーザ装置の設定のために前記第二の無線ネットワークノードによって使用されることになる第一のメッセージであって、前記第一のユーザ装置に関連した情報を含む当該第一のメッセージを、前記確立されたコネクションを介して前記第二の無線ネットワークノードへ送信する送信機とを有し、前記受信機は前記第一のメッセージを受信したことに応答して前記第一のユーザ装置の設定のために前記第一の無線ネットワークノードによって使用されることになる第二のメッセージであって、前記第二のユーザ装置に関連した情報を含む当該第二のメッセージを、前記確立されたコネクションを介して前記第二の無線ネットワークノードから受信するように構成されており、前記送信機は、前記第二のユーザ装置に関連した受信情報と前記第二のユーザ装置との通信を可能にするビーコンを送信させるためのコマンドとを含む第三のメッセージを前記第一のユーザ装置へ送信するように構成されている。
【００１９】
ユーザ装置間でＤ２Ｄ通信が可能となる前にこれらの無線ネットワークノード間でコネクションを確立することの利点は、無線ネットワークセルと、他のデュープレックスモードおよび／または類似のデュープレックスモードを有しているかもしれない隣接した無線ネットワークセルとの境界を超えて、Ｄ２Ｄ通信を実現できる可能性にある。
【００２０】
本実施形態の他の観点によれば、コンピュータ可読コード手段を含むコンピュータプログラムプロダクトが提供され、一つ以上の処理ユニットによって実行されると、無線ネットワークノードに、本実施形態の第一の観点に記述した方法にしたがってプロシージャを実行させる。
【００２１】
本実施形態の他の観点によれば、コンピュータ可読コード手段を含むコンピュータプログラムプロダクトが提供され、一つ以上の処理ユニットによって実行されると、ユーザ装置に、本実施形態の第二の観点に記述した方法にしたがってプロシージャ実行させる。
【００２２】
本実施形態の他の利点は、他のネットワークとのＤ２Ｄ無線リンクを介してユーザ装置が通信するときに、他の無線ネットワークの無線ネットワークノードから潜在的に遠く離れていることに伴う制限されたコネクションから影響を受けることを回避できることにある。
【図面の簡単な説明】
【００２３】
以下では添付の図面を参照しながら実施形態がより詳細に説明される。
【図１】従来技術におけるＤ２Ｄ通信のシナリオを示す図
【図２】実施形態におけるＤ２Ｄ通信のシナリオを示す図
【図３】実施形態のロジカルインタフェースを示す図
【図４】実施形態にしたがってロジカルインタフェースが使用されるときの例示的なプロシージャを示すシグナリングダイアグラム
【図５】実施形態にしたがってＵＥ間でＤ２Ｄ通信が確立されるときの例示的なプロシージャを示すシグナリングダイアグラム
【図６】実施形態における無線ネットワークノードの方法ステップを示すフローチャート
【図７】実施形態におけるユーザ装置の方法ステップを示すフローチャート
【図８】実施形態にしたがったユーザ装置のさらに詳細を示す図
【図９】実施形態にしたがった無線ネットワークノードのさらに詳細を示す図
【図１０】実施形態にしたがったコンピュータプログラムプロダクトのさらに詳細を示す図
【発明を実施するための形態】
【００２４】
手短に説明したように、異なるまたは同一のデュープレックスモードを用いる異なる無線ネットワークにそれぞれ位置するＵＥ間でのＤ２Ｄ通信とその方法の実施形態が以下で提供される。ＴＤＤ／ＦＤＤ、ＦＤＤ／ＦＤＤ、ＴＤＤ／ＴＤＤはデュープレックスモードの一例に過ぎない。
【００２５】
図２は二つの無線ネットワーク２１０、２７０を示している。各無線ネットワークは無線ネットワークノード２２０、２８０を有し、これらは無線基地局であってもよいし、ｅＮＢと呼ばれてもよいが、各無線ネットワークはさらに対応するＵＥ２３０、２９０を有している。無線ネットワークのボーダー（境界）を超えてＤ２Ｄ無線リンク２５０を確立するために、ｅＮＢ２２０、２８０との間にまず無線ネットワークノードコネクション２６０が確立される。これはｅＮＢ２２０、２８０との間にロジカルインタフェースを確立することによって達成される。
【００２６】
例示的な実施形態の一つは、第一の移動無線ネットワークにおける第一のユーザ装置を収容する第一の無線ネットワークノードにおいて、第二の移動無線ネットワークにおける第二の無線ネットワークノードに収容される第二のユーザ装置と無線リンクを介してＤ２Ｄ（デバイス−デバイス間）通信を可能ならしめる方法であって、前記第二の無線ネットワークノードとコネクションを確立することと、前記第一のユーザ装置から前記第二のユーザ装置との通信を可能にするためのリクエストを受信することと、前記リクエストを受信したことに応答して前記第二のユーザ装置の設定のために前記第二の無線ネットワークノードによって使用されることになる第一のメッセージであって、前記第一のユーザ装置に関連した情報を含む当該第一のメッセージを、前記確立されたコネクションを介して前記第二の無線ネットワークノードへ送信することと、前記第一のメッセージを受信したことに応答して前記第一のユーザ装置の設定のために前記第一の無線ネットワークノードによって使用されることになる第二のメッセージであって、前記第二のユーザ装置に関連した情報を含む当該第二のメッセージを、前記確立されたコネクションを介して前記第二の無線ネットワークノードから受信することと、前記第二のユーザ装置に関連した受信情報と前記第二のユーザ装置との通信を可能にするビーコンを送信させるためのコマンドとを含む第三のメッセージを前記第一のユーザ装置へ送信することとを有する。
【００２７】
実施形態に従ったこの方法において確立されたコネクションは図３、図４に示すシナリオと信号シーケンスを参照することで説明される。
【００２８】
図３において、ｅＮＢ間で情報を交換するためのロジカルインタフェースを使用できるようにするコネクションが示されている。無線ネットワーク Ａ ３１０に第一のｅＮＢ（以下ｅＮＢ−Ａと称す）３２０が位置しており、まず、無線ネットワーク Ｂ ３７０における第二のｅＮＢ（以下ｅＮＢ−Ｂと称す）３８０と接続した第二のコアネットワークノード３５０と情報を交換する第一の無線ネットワークコアノード３３０と通信する。無線ネットワーク３１０、３７０のそれぞれは異なるかまたは同一のデュープレックスモード２２５、２８５（例：時分割複信（ＴＤＤ）または周波数分割複信（ＦＤＤ））を使用しうる。
【００２９】
図４に示した信号シーケンスが示すように、ｅＮＢ−Ａ ４２０は、１：Ｄ２ＤインターオペレータコンフィギュレーションメッセージをＥＰＣ−ＡやＭＭＥ−Ａのような第一のネットワークコアノード４３０に送信するが、これはＤ２Ｄトラフィックに関与するこれらのＵＥを登録するためであり、また、課金プロセスのためにＨＳＳに対してこの情報を通信するためもでもある。たとえば、ＭＭＥ−Ａにおいて、ＵＥコンテンツＩＤおよび／またはサービスＩＤプロファイルが登録されてもよい。これは、たとえば、ＵＥがアイドルモードに遷移するときに利点がある。
【００３０】
Ｄ２Ｄインターオペレータコンフィギュレーションメッセージは、Ｄ２Ｄを介したＤ２Ｄ無線リンクを使用する能力を有したＵＥのリストと、他のＵＥと共有するためにＵＥが利用可能なコンテンツやサービスのタイプとを含んでいてもよい。このメッセージはさらに、ｅＮＢ−Ａ ４２０のアドレスとその位置の情報を含んでいてもよい。上述したように、ＵＥの識別情報とともに、そのような情報（たとえば、サービスＩＤおよび／またはコンテンツＩＤ）もＭＭＥ−Ａに記憶されてもよい。
【００３１】
あるいは、ｅＮＢ−Ａ ４２０によって送信されるＤ２Ｄインターオペレータコンフィギュレーションメッセージは、インターオペレータコネクションについてのリクエストを含んでいなくてもよい。ｅＮＢ−Ａ ４２０によって送信されるＤ２Ｄインターオペレータコンフィギュレーションメッセージは、特定のコンテンツおよび／またはサービスの識別情報を含んでいてもよい。Ｄ２Ｄインターオペレータコンフィギュレーションメッセージを受信すると、ＥＰＣ−ＡまたはＭＭＥ−Ａは当該メッセージに含まれている特定のコンテンツおよび／またはサービスの識別情報と、トラッキングエリア内で利用可能なコンテンツおよび／またはサービスとを比較するように構成されている。そのようなコンテンツおよび／またはサービスがトラッキングエリアでは提供されていなければ、ＥＰＣ−Ａ（他のＭＭＥ）はＤ２Ｄインターオペレータリクエストメッセージを生成してもよい。
【００３２】
さらに、第一の無線ネットワークコアノード４３０は（この場合に我々はこれをＥＰＣ−Ａと呼ぶが）、インタフェースを介して、ｅＮＢ−Ａ ４２０のリクエストについてＳＧＷ−Ａ（図４では不図示）に通知してもよい。このインタフェースは、たとえば、Ｓ−１１インタフェースであってもよい。
【００３３】
ＳＧＷ−Ａは、他の無線ネットワークによって制御されている隣接したＥ−ＵＴＲＡＮやＥＰＣのリストを有しているため、ＳＧＷ−Ａはインタフェースを介してｅＮＢ−Ａ ４２０のアドレスを、第二の無線ネットワークコアノード４５０（ＥＰＣ−Ｂと称す）に通信して伝達する。ＥＰＣ−ＢはＰＤＮＧＷ−Ｂであってもよく、インタフェースはたとえばＳ−８インタフェースであってもよく、これは一般的にインターＰＬＭＮ通信（公衆地上移動ネットワーク）のために使用されている。
【００３４】
ＥＰＣ−Ｂ ４５０はＳＧＷ−Ａによって受信されたｅＮＢ−Ａ ４２０のアドレスと一に関連した情報だけでなく、ｅＮＢ−Ｂ ４８０や無線ネットワークＢによって制御されている他のｅＮＢのアドレスやトンネルエンドポイント情報（ＴＥＩＤ）含む情報を有している。これは、２：Ｄ２Ｄインターオペレータリクエストメッセージとして示されている。
【００３５】
次に、メッセージ３：Ｄ２ＤインターオペレータセットアップがｅＮＢ−Ｂ ４８０に送信され、これによりｅＮＢ−Ａ ４２０が必要としている情報がｅＮＢ−Ｂ ４８０に供給され、ｅＮＢ−Ｂ ４８０や無線ネットワークＢに属している他のｅＮＢとのＩＰコネクティビティが確立可能となる。
【００３６】
このメッセージを受信すると、ｅＮＢ−Ｂ ４８０はＥＰＣ−Ｂ ４５０に対して、必要としている情報を持っていることを知らせるためにアクノレッジメント４：Ｄ２ＤインターオペレータセットアップＡＣＫを送信する。あるいは、Ｄ２Ｄインターオペレータセットアップメッセージは、ＥＰＣ−Ｂ ４５０によって制御されるトラッキングエリアにおけるｅＮＢに向けたページングメッセージであってもよい。このようなページングメッセージは、たとえば、ｅＮＢ−Ａによって必要とされているコンテンツＩＤおよび／またはサービスＩＤを含みうる。所望のコンテンツＩＤおよび／またはサービスＩＤを提供するように設定されているＵＥだけがページングメッセージに対して応答する。したがって、Ｄ２Ｄインターオペレータセットアップは、直前のステートメントに続くものであり、つまり、ｅＮＢ−Ｂ ４８０はＥＰＣ−Ｂ ４５０に対して、所望された情報を保持していることを示すアクノレッジメント４：Ｄ２ＤインターオペレータセットアップＡＣＫメッセージを送信する。このようにアイドルモードに遷移しているＵＥがトリガーされてもよい。
【００３７】
これを基本として、ＥＰＣ−Ｂはこの情報をＥＰＣ−Ａ ４３０に送信し、これによりＥＰＣ−Ａ ４３０は、ｅＮＢ−Ｂ ４８０とのＩＰコネクティビティを確立するために必要となるすべての情報をｅＮＢ−Ａ ４２０に提供できるようになる。これは５：Ｄ２Ｄインターオペレータセットアップメッセージと、６：インターオペレータコンフィギュレーションＡＣＫメッセージとして示されている。
【００３８】
ｅＮＢ間でコネクションが一旦確立すると、ＵＥ−ＡとＵＥ−Ｂとの間でＤ２Ｄ無線リンクを介した通信が設定可能となる。しかし、ｅＮＢ間のコネクションが確立される前に、ＵＥ−ＡからのリクエストがｅＮＢ−Ａに送信されてもよい。この場合、当該リクエストはｅＮＢ−ＡにｅＮＢ−ＢとのＩＰ接続を開始することをトリガーしてもよい。
【００３９】
いくつかのケースでは、ｅＮＢ−Ｂは、特定のタイプのコンテンツ／サービスを提供可能なＵＥがトラッキングエリアには存在しないことをＥＰＣ−ＡまたはＭＭＥ−Ａによって通知されてもよい。したがって、ＥＰＣ−ＡまたはＭＭＥ−ＡはｅＮＢ−ＢとのＩＰコネクティビティのセットアップをトリガーしてもよい。たとえば、これは、特定のタイプのコンテンツ／サービスを提供可能なＵＥがトラッキングエリアには存在しないことをＭＭＥによってｅＮＢ−Ａｂに通知されるケースで発生しうる。このように、ＭＭＥ（またはｅＮＢ）はこの機能をトリガーし、つまり、インターオペレータＤ２Ｄ試行のセットアップが開始される。
【００４０】
図５はｅＮＢ間のコネクションが確立された後、または、他のＵＥとのコネクションを確立するためのリクエストがＵＥから送信された直後のいずれかにおいて実行されるステップを記述した信号シーケンスを示している。
【００４１】
この信号シーケンスはＵＥ−Ａ ５３０が、ＵＥ−Ａ ５３０とのＤ２Ｄ無線リンクを確立する能力を有する他のＵＥとコンテンツ／サービスを共有するために、どのようにして１：Ｄ２ＤリクエストメッセージをｅＮＢ−Ａ ５２０に対して送信するかを示している。ｅＮＢ−Ａ ５２０は、Ｄ２Ｄ能力を有するＵＥをサーチすることによって、自己のセルまたは無線ネットワーク内でＤ２Ｄディスカバリーを有効化し、他の無線ネットワークまたはオペレータによってサービスを提供されている隣接セルに対してＤ２Ｄサービスをリクエストする。
【００４２】
ｅＮＢ−Ａ ５２０はさらにｅＮＢ−Ｂ ５８０に対して、２：インターオペレータＤ２Ｄリクエストメッセージを送信し、これには共有対象のサービスのタイプについての情報やＵＥ−Ａ ５３０についての関連した情報（Ｃ−ＲＮＴＩ、ショートＭＡＣ−Ｉ、位置情報その他など）と、物理リソースブロック（ＰＲＢ）情報をともなうビーコン、無線ネットワークＡまたはオペレータ（通信事業者）Ａに関連した情報（例：Ｄ２Ｄ通信に使用されるバンドやタイムスロットなど）が含まれる。当該メッセージはＤ２Ｄ無線リンクを介してＵＥ−Ｂと通信するためにＵＥ−Ａによって使用されることになる一つ以上のＰＲＢについての情報を含んでもよい。
【００４３】
ｅＮＢ−Ｂ ５８０は提供された情報と共にメッセージ２を受信し、Ｄ２Ｄ無線リンクを介してＤ２Ｄ通信を実行可能なＵＥを選択するために、自己のセル内でＤ２Ｄディスカバリーを有効化する。無線ネットワークＢにおいてこれらの選択されたＵＥはＵＥ−Ａによってリクエストされたコンテンツ／サービスのタイプを示す情報も提供される必要がある。この特別のケースでは、ｅＮＢ−Ｂ ５８０は、アドミッション制御ポリシーを実行し、ＵＥ−Ｂ ５９０が実際にＤ２Ｄ通信に関与できるかどうかをチェックし、たとえば、利用可能なリソースの量やＵＥ−Ａ ５３０の位置および／またはＵＥ−Ｂ ５９０の位置、ＵＥ−Ｂ ５９０の加入プランなどがチェックされてもよい。
【００４４】
ｅＮＢ−Ｂ ５８０はその後、３：インターオペレータＤ２ＤリクエストＡＣＫメッセージをｅＮＢ−Ａ ５２０に送信し、ＵＥ−Ｂ ５９０に関連した情報（例：Ｃ−ＲＮＴＩ、ショートＭＡＣ−Ｉその他）と、無線ネットワークＢに関連した情報（例：Ｄ２Ｄ通信によって使用される周波数バンドとタイムスロット）とを伝達する。３：インターオペレータＤ２ＤリクエストＡＣＫメッセージは、さらに、Ｄ２Ｄ無線リンクを介してＵＥ−Ａと通信するときにＵＥ−Ｂによって使用される一つ以上のＰＲＢについての情報を含んでいてもよい。
【００４５】
さらに、ｅＮＢ−Ｂ ５８０は４：Ｄ２ＤイネーブルリクエストメッセージをＵＥ−Ｂ ５９０に対して送信し、ＵＥ−Ａ ５３０に関連した情報（例：Ｃ−ＲＮＴＩ、ショートＭＡＣ−Ｉその他）と、無線ネットワークＡまたは通信事業者Ａに関連した情報（例：Ｄ２Ｄ通信によって使用される周波数バンド、ＬＴＥ ＰＲＢおよびタイムスロット）と、ＵＥ−Ａ ５３０からのビーコンメッセージのリッスン（受信）を開始させるためのコマンドなどを伝達する。４：Ｄ２ＤイネーブルリクエストメッセージはＤ２Ｄ無線リンクを介して通信するときにＵＥ−Ａ ５３０によって使用される一つ以上のＰＲＢについての情報を含んでいてもよい。
【００４６】
ｅＮＢ−Ａ ５２０はＵＥ−Ａ ５３０に対して５：Ｄ２Ｄビーコンオンメッセージを送信するが、これはビーコンの送信をスタートさせるためのメッセージである。メッセージ５は、ビーコンについての一つ以上のＰＲＢを示している。ｅＮＢ−Ｂ ５８０から受信した情報にしたがって一つまたは複数のＰＲＢが選択され、これにより、ＵＥ−Ａ ５３０はＵＥ−Ｂ ５９０によってリッスン可能かまたは検知可能なビーコンを送信できるようになる。５：Ｄ２Ｄビーコンオンメッセージはさらに、Ｄ２Ｄ通信を可能にするときにＵＥ−Ｂが使用するＰＲＢについての情報を含んでいてもよい。ビーコンの送信を開始する前にＵＥ−Ａがこの情報を受信した場合、ＵＥ−Ａはこの情報を用いることで、バッテリーの消費を削減するために、無線ネットワークＢにおける周波数バンドやチャネルのすべてにわたってスキャンを実行してしまうことを防ぐことができ、ＰＲＢについて言及されている周波数レンジだけに限定してスキャンできるようになる。
【００４７】
ｅＮＢ−Ａ ５２０からのメッセージ５：Ｄ２Ｄビーコンオンに応答して、ＵＥ−Ａ ５３０はＵＥ−Ｂ ５９０に対して、ｅＮＢ−Ａ ５２０のＰＬＭＮ識別情報やセル識別情報、つまり、ｅＮＢ−Ａの動作周波数についての情報を含むビーコンを送信する。図５においてビーコンの送信は６：ビーコンにより示されている。ビーコンに搭載されている情報は、さらに、ＵＥ−Ａ ５３０がＤ２Ｄ送信のために使用する一つ以上のＰＲＢの情報を含んでもよい。これらのＰＲＢは一般に無線ネットワークＡ（無線事業者Ａ）の周波数バンドに存在する。
【００４８】
すでに説明したように、ｅＮＢ−Ｂ ５８０は、ＵＥ−Ｂ ５９０に対して、無線ネットワークＡに属している周波数バンドについてリッスンさせるためのコマンドを送信する。ＵＥ−Ａ ５３０がビーコンメッセージ６を送信すると、ＵＥ−Ｂ ５９０は従来の方法を使用してこれを復号する。ＵＥ−Ｂ ５９０は、さらに、ビーコンから取得した情報と、ｅＮＢ−Ｂ ５８０によって過去に送信された情報であってＵＥ−Ａ ５３０に関連した情報と比較し、ＵＥ−Ａ ５３０をユニークに認識または認証し、自己のＤ２Ｄ受信機を設定する。
【００４９】
Ａ７：Ｄ２Ｄビーコン検知メッセージは、ＰＲＢを使用して周波数バンドＢにおいてＵＥ−Ｂによって送信され、ここでＰＲＢは、４：Ｄ２Ｄイネーブルリクエストメッセージまたは２：インターオペレータＤ２Ｄリクエストメッセージのどちらかで指定されているものであり、ＵＥ−ＡにＤ２Ｄ送信を開始させるものである。ＵＥ−Ｂ ５９０からのメッセージは制限時間内に到着した場合、ＵＥ−Ａ ５３０によって受信される。もし、制限時間が経過しても当該メッセージがＵＥ−Ａ ５３０によって受信されない場合、ＵＥ−Ａ ５３０はビーコンを再送し、これらのプロシージャが繰り返される。
【００５０】
ＵＥ−Ｂ ５９０からのメッセージを受信すると、ＵＥ−Ａ ５３０は、ＵＥ−Ｂ ５９０との同期を開始するが、これはｅＮＢ−Ａ ５２０とｅＮＢ−Ｂ ５８０とがそれぞれ異なる無線ネットワークに属しているためにｅＮＢ−Ａ ５２０とｅＮＢ−Ｂ ５８０とが同期していないためである。同期処理には、ＵＥ−Ａ ５３０に、Ｄ２Ｄ同期メッセージを周波数バンドＡにおいて送信してＵＥ−Ｂ ５９０に戻すこと含まれ、このメッセージには周波数バンドＢにおいて使用されている送信についてのタイミング補正の情報が含まれている。ＵＥ−Ｂ ５９０は７：Ｄ２Ｄビーコン検知メッセージの送信を完了した後で、制限時間にわたり、周波数バンドＡにおいてＵＥ−Ａ ５３０によって送信される８：Ｄ２Ｄ同期メッセージのリッスンを開始する。Ｄ２Ｄ同期メッセージが受信される場合、ＵＥ−Ｂ ５９０は、周波数バンドＢにおいて、ＵＥ−Ａ ５３０に対して、アクノレッジメント９：Ｄ２Ｄ同期ＡＣＫ（これは無線バンドＡにおいて使用されることになる送信についてのタイミング補正の情報を含む）をＵＥ−Ａ ５３０に対して返信する。ユーザ装置のバッテリー消費を低減するための解決方法は、同期の際に、ＵＥ−Ａ ５３０が周波数バンドＢの全域をスキャンしてしまうことを防ぎ、同様にＵＥ−Ｂ ５９０が周波数バンドＡの全域をスキャンしてしまうことを防ぐことである。Ｄ２Ｄ通信を可能ならしめるためにＵＥ−Ａ ５３０およびＵＥ−Ｂ ５９０によって使用されるＰＲＢについての情報がより前の段階で交換されるが、これは、たとえば、インターオペレータＤ２Ｄリクエスト２やインターオペレータＤ２ＤリクエストＡＣＫ３で交換されてもよい。
【００５１】
この段階で、同期が完了すると、Ｄ２Ｄ無線リンクを介した通信がＵＥ−Ａ ５３０とＵＥ−Ｂ ５９０との間で実行可能となる。ＵＥ−Ａ ５３０とＵＥ−Ｂ ５９０との各ＵＥは周波数バンドＡと周波数バンドＢとでそれぞれ情報を送信する。
【００５２】
他の実施形態によれば、無線ネットワークノードにおける方法が図６のフローチャートに示されている。
【００５３】
無線ネットワークノードｅＮＢ−Ａ ２２０は無線ネットワークＡにおいてユーザ装置ＵＥ−Ａを収容してサービスを提供するものであり、まず、無線ネットワークＢにおいてユーザ装置ＵＥ−Ｂを収容してサービスを提供する他の無線ネットワークノードｅＮＢ−Ｂ ２８０とのコネクションを確立する（６２１）。このコネクションには図３および図４に示したようなロジカルインタフェースが使用されてもよい。ｅＮＢ−ＡはＵＥ−Ｂ ２９０への無線リンクを介したＤ２Ｄ通信を可能にするためにＵＥ−Ａからリクエストを受信する（６２２）。Ｄ２Ｄ無線リンクにはＴＤＤ／ＦＤＤデュープレックスをハイブリッドしたものが採用されてもよい。ｅＮＢ−Ａは、確立したコネクションを介してｅＮＢ−Ｂに対して、ＵＥ−Ａに関連した情報を含む第一のメッセージを送信する（６２３）。ＵＥ−Ａに関連した情報は、Ｃ−ＲＮＴＩ、ショートＭＡＣ−Ｉ、位置情報、共有対象となるサービスおよび／またはコンテンツのタイプについての情報、ＰＲＢ情報を伴うビーコン、無線ネットワークＡまたは通信事業者Ａに関連した情報（例：Ｄ２Ｄ通信に使用される周波数バンドやタイムスロット）などのような情報である。この第一のメッセージはｅＮＢ−Ｂによって受信され、当該メッセージに含まれていた情報はＵＥ−Ｂのコンフィギュレーション（設定）のためにＵＥ−Ｂへ転送される。第一のメッセージはさらにＤ２Ｄ無線リンクを介してＵＥ−Ｂと通信するためにＵＥ−Ａによって使用される一つ以上のＰＲＢについての情報を含んでいてもよい。この場合、これらのＰＲＢはｅＮＢ−Ｂによって受信され、ｅＮＢ−ＢがこれらをＵＥ−Ｂへと転送し、これによりＵＥ−Ａとの同期が容易になる。
【００５４】
次のステップは、ＵＥ−Ｂに関連した第二のメッセージであって、Ｃ−ＲＮＴＩ、ショートＭＡＣ−Ｉ、無線ネットワークＢ（例：Ｄ２Ｄ通信に使用される周波数バンドやタイムスロット）に関連した情報などの情報を含む第二のメッセージをｅＮＢ−Ｂから受信することを含む（６２４）。第二のメッセージはさらに、Ｄ２Ｄ無線リンクを介してＵＥ−Ａと通信するときにＵＥ−Ｂによって使用される一つ以上のＰＲＢについての情報を含んでいてもよい。
【００５５】
最後のステップで、ｅＮＢ−Ａ ２２０は、ＵＥ−Ａに対して第三のメッセージを送信するが、このメッセージには、前のステップにおいて説明した第二のメッセージから取得した受信情報が含まれており、さらに、ＵＥ−Ｂ ２９０によってリッスンまたは検知可能なビーコンを送信させるためのコマンドを送信する（６２５）。第三のメッセージに含まれている情報は、Ｄ２Ｄ無線リンクを介してＵＥ−Ａがデータを受信／送信できるようにするために使用される。Ｄ２Ｄ無線リンクのコンフィギュレーションには、タイミングと周波数を設定することが含まれている。
【００５６】
ＵＥ−Ｂによって一旦ビーコンが受信され、ＵＥ間での同期が獲得されると、無線リンクを介したＤ２Ｄ通信が可能となる。
【００５７】
さらに、コネクションを確立する際に無線ネットワークノードにおいて実行される方法は、第一の無線ネットワークノード２２０に関連した情報を含む第一のコンフィギュレーションメッセージを第二の無線ネットワークノード２８０に送信することと、第二の無線ネットワークノード２８０に関連した情報を含む第二のコンフィギュレーションメッセージを第二の無線ネットワークノード２８０から受信することとを含む。さらに、上述した方法や装置にしたがって確立されることになるコネクションは、ロジカルインタフェースを利用してもよい。
【００５８】
さらに、無線ネットワークノードによって実行される方法では、第一のユーザ装置２３０からのリクエストを受信したことに応答してコネクション２６０を確立することが実行されてもよい。この場合、Ｄ２Ｄ通信を確立する際の遅延を低減することができるため、ユーザ装置からのリクエストを用いて、無線ネットワークノード間でコネクションを確立するためのプロシージャを開始することができることが有利であろう。
【００５９】
いくつかのケースでは、無線ネットワークノードは、特定のタイプのコンテンツやサービスを提供することが可能なＵＥがトラッキングエリアには一台も存在しないことを、ＥＰＣ−ＡやＭＭＥ−Ａによって通知されてもよい。よって、ＥＰＣ−ＡやＭＭＥ−Ａは無線ネットワークノードのＩＰコネクティビティのセットアップを開始する役割を果たしてもよい。
【００６０】
さらに、無線ネットワークノードによって実行される方法で、第一のメッセージと第二のメッセージはそれぞれ、ＵＥ−ＡとＵＥ−Ｂとによってそれぞれ使用される一つ以上のＰＲＢの情報を含んでいてもよい。
【００６１】
図７のフローチャートが示すように、他の例示的な実施形態に従って、第一の移動無線ネットワーク２１０における第一の無線ネットワークノード２２０に収容される第一のユーザ装置２３０において、第二の移動無線ネットワーク２７０における第二の無線ネットワークノード２８０に収容される第二のユーザ装置２９０と無線リンク２５０を介してＤ２Ｄ（デバイス−デバイス間）通信を可能ならしめる方法であって、前記第二のユーザ装置２９０との通信を可能にするためのリクエストを前記第一の無線ネットワークノード２２０に送信することと、前記リクエストを送信したことに応答して、前記第二のユーザ装置２９０に関連した情報と前記第二のユーザ装置２９０へビーコンを送信するためのコマンドとを含む第一のメッセージを前記第一の無線ネットワークノード２２０から受信することと、前記第一の無線ネットワークノード２２０に関連した情報を含むビーコンを送信することと、前記ビーコンを送信したことに応答して、Ｄ２Ｄ無線リンクに参加する能力を前記第二のユーザ装置２９０が有していることを示す第二のメッセージを前記第二のユーザ装置２９０から受信することと、前記第二のメッセージを受信すると前記Ｄ２Ｄ通信を開始するために前記第二のユーザ装置２９０と同期することとを有する。
【００６２】
さらに、ユーザ装置で実行されるこの方法では、同期処理は、第二の周波数バンドまたはチャネルで動作している第二のユーザ装置２９０からタイムコレクション（タイミング補正）の情報を受信することと、第一の周波数バンドまたはチャネルで動作している第二のユーザ装置２９０に対してタイミング補正の情報を送信することとを含んでもよい。
【００６３】
さらに、ユーザ装置または無線ネットワークノードで実行される本方法においてＤ２Ｄ無線リンク１５０は、ＴＤＤ／ＦＤＤデュープレックスをハイブリッドしたものを使用してもよい。これにより、帯域幅を節約できるとともに、エンドユーザに対して干渉の制御された環境を経験させることが可能となる。
【００６４】
ステップ７０１で、ＵＥ−Ａ ２３０は、Ｄ２Ｄ無線リンクを確立する能力を有した他のＵＥといずれかのコンテンツ／サービスを共有するためのリクエストをｅＮＢ−Ａ ２２０に対して送信する。この場合、ＵＥ−ＡはＵＥ−Ｂに対してＤ２Ｄ通信を有効化するよう要求する。
【００６５】
ｅＮＢ−Ａからの第一のメッセージはＵＥ−Ａによって受信され（７０２）、第一のメッセージはＵＥ−Ｂに関連しており、Ｃ−ＲＮＴＩ、ショートＭＡＣ−Ｉ、無線ネットワークＢ（例：Ｄ２Ｄ通信に使用される周波数バンドやタイムスロット）に関連した情報などの情報を含む。第一のメッセージはさらに、Ｄ２Ｄ無線リンクを介してＵＥ−Ａと通信するときにＵＥ−Ｂによって使用される一つ以上のＰＲＢについての情報を含んでいてもよい。これらのＰＲＢの情報は、各周波数バンドにおけるスキャン範囲を狭めることができるため、ユーザ装置間での同期が容易になる。
【００６６】
ＵＥ−Ａはさらに、ビーコンを送信するためのコマンドをｅＮＢ−Ａから受信する。ＵＥ−Ｂがビーコンを受信可能なように当該ビーコンを送信するために、ＵＥ−Ａは、Ｄ２Ｄ無線リンクを介した通信を可能にするために無線ネットワークＢの周波数バンドやチャネルなど、ＵＥ−Ｂに関連した情報を必要とする。この情報は、一般に、第一のメッセージに含まれている。
【００６７】
ステップ７０３で、ＵＥ−Ａは、ｅＮＢ−Ａによってコマンドにより命令されたようにビーコンを送信する。このビーコンは、たとえば、ＰＬＭＮ−識別情報、ｅＮＢ−Ａのセル識別情報などを含む。この情報は、さらに、Ｄ２Ｄ送信のためにＵＥ−Ａ ２３０が使用することになる一つ以上のＰＲＢの情報を含んでいてもよい。所定時間内にＵＥ−Ｂからのメッセージが受信されない場合、ＵＥ−Ａはビーコンを再度送信してもよい（７０４）。
【００６８】
ステップ７０５で、ＵＥ−Ａは、ＵＥ−ＢがＤ２Ｄ無線リンクに参加できることを示す第二のメッセージをＵＥ−Ｂから受信する。
【００６９】
そして、ＵＥ−ＡおよびＵＥ−Ｂ間の同期が実行される。
【００７０】
たとえば、ＵＥ−Ｂは、ビーコンについてのアクノレッジメントをＵＥ−Ａに送信すると、制限時間にわたり周波数Ａにおいてリッスンを開始する。これと並行してＵＥ−Ａはアクノレッジメントを受信するために周波数Ｂにおいてリッスンを開始する。ＵＥ−Ａはアクノレッジメントを受信するとすぐに、周波数Ｂでの送信についてのタイミング補正の情報を含む、同期メッセージを自己の周波数Ａ上で送信する。ステップ７０６で示したように、制限時間内に同期メッセージを受信できない場合に、ＵＥ−Ａは、ＵＥ−Ｂに対してビーコンを再送し、あるいは、ＵＥ−ＢはＵＥ−Ａに対して周波数Ａでの送信のためのタイミング補正の情報を含むメッセージを返信する。ＵＥ−Ｂからのこのメッセージは、自己の周波数Ｂ上で送信される。
【００７１】
同期が完了すると、Ｄ２Ｄ無線リンクを介したＵＥ−Ｂとの通信を開始可能となる。Ｄ２Ｄ無線リンクはＴＤＤ／ＦＤＤデュープレックスをハイブリッドしたものを使用してもよい。
【００７２】
図８において、実施形態に従ったユーザ装置８３０の例示的なブロック図が示されている。この実施形態では、第二の移動無線ネットワーク２７０における第二の無線ネットワークノード２８０に収容される第二のユーザ装置２９０と無線リンク２５０を介してＤ２Ｄ（デバイス−デバイス間）通信を可能ならしめる、第一の移動無線ネットワーク２１０における第一の無線ネットワークノード２２０に収容される第一のユーザ装置８３０であって、前記第二のユーザ装置２９０との通信を可能にするためのリクエストを前記第一の無線ネットワークノード２２０に送信する送信機と、前記リクエストを送信したことに応答して、前記第二のユーザ装置２９０に関連した情報と前記第二のユーザ装置２９０へビーコンを送信するためのコマンドとを含む第一のメッセージを前記第一の無線ネットワークノード２２０から受信する受信機とを有し、前記送信機は、前記第一の無線ネットワークノード２２０に関連した情報を含むビーコンを送信するようにさらに構成されており、前記受信機は、前記ビーコンを送信したことに応答して、Ｄ２Ｄ無線リンクに参加する能力を前記第二のユーザ装置２９０が有していることを示す第二のメッセージを前記第二のユーザ装置２９０から受信するようにさらに構成されており、前記第一のユーザ装置８３０は、前記第二のメッセージを受信すると前記Ｄ２Ｄ通信を開始するために前記第二のユーザ装置２９０と同期する同期部をさらに有する。
【００７３】
ユーザ装置８３０は、メモリ８０５、プロセッサ８０６、アレンジメント８００および他の機能部８０４を有する。アレンジメント８００は、さらに、送信機８０１、受信機８０２および同期部８０３を有する。これのパーツのすべては図６および図７に示した実施形態および方法にしたがって機能するように適合している。
【００７４】
さらに、ユーザ装置におけるＤ２Ｄ無線リンクのコンフィギュレーションは、タイミングと周波数の設定を含んでもよい。
【００７５】
さらに、ユーザ装置によって送信されるビーコンは、識別情報および第一の無線ネットワークノード１２０の動作周波数についての情報を含んでもよい。
【００７６】
図９は、無線基地局としての無線ネットワークノード９２０のブロック図を示している。第二の移動無線ネットワーク２７０における第二の無線ネットワークノード２８０に収容される第二のユーザ装置２９０と無線リンク２５０を介してＤ２Ｄ（デバイス−デバイス間）通信を可能ならしめる、第一の移動無線ネットワーク２１０における第一のユーザ装置２３０を収容する第一の無線ネットワークノード９２０であって、前記第二の無線ネットワークノード２８０とコネクション２６０を確立する処理ユニットと、前記第一のユーザ装置２３０から前記第二のユーザ装置２９０との通信を可能にするためのリクエストを受信する受信機と、前記リクエストを受信したことに応答して前記第二のユーザ装置２９０の設定のために前記第二の無線ネットワークノード２８０によって使用されることになる第一のメッセージであって、前記第一のユーザ装置８３０に関連した情報を含む当該第一のメッセージを、前記確立されたコネクション２６０を介して前記第二の無線ネットワークノード２８０へ送信する送信機とを有し、前記受信機は前記第一のメッセージを受信したことに応答して前記第一のユーザ装置８３０の設定のために前記第一の無線ネットワークノード２２０によって使用されることになる第二のメッセージであって、前記第二のユーザ装置２９０に関連した情報を含む当該第二のメッセージを、前記確立されたコネクションを介して前記第二の無線ネットワークノード２８０から受信するように構成されており、前記送信機は、前記第二のユーザ装置２９０に関連した受信情報と前記第二のユーザ装置２９０との通信を可能にするビーコンを送信させるためのコマンドとを含む第三のメッセージを前記第一のユーザ装置８３０へ送信するように構成されている。
【００７７】
この例示的な実施形態において、無線ネットワークノード９２０は、メモリ９０５、受信機（ＲＸ）９１１、および、送信機（ＴＸ）９１２を有する。この特別なケースにおいて、ＲＸ９１１およびＴＸ９１２は、処理ユニット９０６によって実行される異なるタスクにしたがって機能するように適合している。これらのパーツのすべては図５および図６に示した実施形態や方法にしたがって機能するように適合している。図９が示すように、アンテナ、デコーダ、オーディオインタフェース、電源、エンコーダなど、無線ネットワークノードにはその他の機能部９０７が含まれているが、ここではその詳細についてはこれ以上は詳細に説明しない。無線ネットワークノードから送信される無線信号はユーザ装置内の受信機９０２に到達し、ユーザ装置は無線ネットワークノード９２０に対して送信機９０１を使用し、無線信号を返信し、これにより無線ネットワーク通信が形成される。
【００７８】
図１０は無線ネットワークノードにおけるアレンジメント１０００の実施形態を示しており、たとえば、図８に示したユーザ装置におけるアレンジメント８００を開示する代替的な方法であってもよい。アレンジメント１０００には、プロセッサ１００６、および、たとえば、ＤＳＰ（デジタル信号プロセッサ）が含まれる。プロセッサ１００６は、上述したプロシージャにおける異なるアクションを実行する単一のユニットであってもよいし、複数のユニットであってもよい。アレンジメント１０００は、他のエンティティから信号を受信する入力ユニット１００２と、他のエンティティへ信号を提供する出力ユニット１００４とを有していてもよい。入力ユニット１００２および出力ユニット１００４は統合されたエンティティとして配置されてもよい。
【００７９】
さらに、アレンジメント１０００は、たとえば、ＥＥＰＲＯＭ（電気的に消去可能なプログラマブルリードオンリーメモリ）、フラッシュメモリおよびハードドライブなどの不揮発性メモリに記憶された少なくとも一つのコンピュータプログラムプロダクト１００８を含む。コンピュータプログラムプロダクト１００８は、コンピュータ可読コード手段を含みアレンジメント１０００におけるプロセッサ１００６のような一つ以上の処理ユニットにおいて実行されると、当該アレンジメントおよび／またはネットワークノードに、たとえば、図８に関連して説明したプロシージャなどのアクションを実行させる。
【００８０】
コンピュータプログラム１０１０はコンピュータプログラムモジュールにおいて構造化されたコンピュータプログラムコードとして構成されてもよい。ゆえに、例示的な実施形態において、アレンジメント１０００のコンピュータプログラム１０１０内のコード手段は、第二の無線ネットワークノードとのコネクション２６０を確立するための処理モジュール１００１を識別することを含む。コンピュータプログラムはさらに、第二のユーザ装置２９０と通信を可能ならしめるためのリクエストを第一のユーザ装置から受信する受信モジュール１００２を含む。コンピュータプログラム１０１０はさらに、リクエストを受信したことに応答して第二のユーザ装置２９０の設定のために第二の無線ネットワークノード２８０によって使用されることになる第一のメッセージであって、前記第一のユーザ装置２３０に関連した情報を含む当該第一のメッセージを、前記確立されたコネクションを介して前記第二の無線ネットワークノード２８０へ送信する送信モジュール１００３を含む。コンピュータプログラム１０１０の受信モジュール１００２は第一のメッセージを受信したことに応答して前記第一のユーザ装置２３０の設定のために前記第一の無線ネットワークノード２２０によって使用されることになる第二のメッセージであって、前記第二のユーザ装置２９０に関連した情報を含む当該第二のメッセージを、前記確立されたコネクションを介して前記第二の無線ネットワークノード２８０から受信する。送信モジュール１００３はさらに、前記第二のユーザ装置２９０に関連した受信情報と前記第二のユーザ装置２９０との通信を可能にするビーコンを送信させるためのコマンドとを含む第三のメッセージを前記第一のユーザ装置２３０へ送信する。コンピュータプログラム１０１０はさらに、所望の機能を提供するための他のモジュール１００４を含む。
【００８１】
モジュール１００１−１００４は図６に示したフローチャートのアクションを実行してもよく、これにより、図９に示したネットワークノードのアレンジメントがエミュレートされる。つまり、異なるモジュール１００１−１００４が処理ユニット１００６で実行されるときに、図９に示した受信機、送信機および処理ユニットに対応することになる。
【００８２】
図１０に関連して説明した実施形態におけるコード手段はコンピュータプログラムモジュールとして実装可能であり、これは処理ユニットにおいて実行されると、上記アレンジメントおよび／またはネットワークノードに、上述した図面に関連して説明したアクションを実行させるものであるが、他の実施形態においてこれらのコード手段の少なくとも一つはハードウエア回路として少なくとも部分的に実装されてもよい。
【００８３】
プロセッサは単一のＣＰＵ（中央演算装置）であってもよいが、二つ以上の処理ユニットを含んでいてもよい。たとえば、プロセッサは、汎用のマイクロプロセッサ、インストラクションセットプロセッサ、および／または、関連チップセット、および／または、ＡＳＩＣ（特定用途集積回路）のような特定用途マイクロプロセッサを含んでいてもよい。プロセッサは、キャッシュ目的のボードメモリを有していてもよい。コンピュータプログラムは、プロセッサに接続されたコンピュータプログラムプロダクトによって実行されてもよい。コンピュータプログラムプロダクトは、コンピュータプログラムが記憶されるコンピュータ可読媒体を含んでいてもよい。たとえば、コンピュータプログラムプロダクトは、フラッシュメモリ、ＲＡＭ（ランダムアクセスメモリ）、ＲＯＭ（リードオンリーメモリ）またはＥＥＰＲＯＭであってもよく、上記のコンピュータプログラムモジュールは他の実施形態において、ネットワークノード内のメモリにおいて異なる複数のコンピュータプログラムプロダクトとして分散的に配置されてもよい。
【００８４】
同様に、コンピュータプログラムプロダクトを含む例示的な実施形態は、図６に示したユーザ装置のアレンジメントに適用されてもよい。
【００８５】
相互に作用するユニットやモジュールの選択だけでなく、本明細書のユニットの命名はいずれも例示目的のものにすぎず、上述したいずれかの方法を実行するのに適したノードは、示唆したプロシージャのアクションを実行することができるように複数の異なる手法にしたがって設定されてもよい。
【００８６】
本明細書において記述したユニットやモジュールはロジカル（論理的な）エンティティであると理解されてもよく、物理的にエンティティであることは必要とされない。
【００８７】
アレンジメント１０００は、たとえば、一つ以上のプロセッサまたはマイクロプロセッサと、メモリに記憶された適切なソフトウエアと、上述したアクションを実行するように構成されたプログラマブルロジックデバイス（ＰＬＤ）または他の電子部品また処理回路とによって実装されてもよい。
【００８８】
特定の例示的な実施形態を参照しながら解決手段が説明されたが、これらの説明は一般に発明的コンセプトを図解する目的で提供されているにすぎず、解決手段の範囲を限定するものと理解されるべきではない。たとえば、用語「無線ネットワークノード」、「無線ネットワークコアノード」、「無線ネットワーク」および「ユーザ装置」が本明細書では使用されてきたが、他の対応するノード、機能および／または、パラメータが、上述した特徴や機能を実現するために使用されてもよい。解決手段は添付の特許請求の範囲によって定義される。
【図１】
0006321027.tif 000002
【図２】
0006321027.tif 000003
【図３】
0006321027.tif 000004
【図４】
0006321027.tif 000005
【図５】
0006321027.tif 000006
【図６】
0006321027.tif 000007
【図７】
0006321027.tif 000008
【図８】
0006321027.tif 000009
【図９】
0006321027.tif 000010
【図１０】
0006321027.tif 000011